(57)【要約】【課題】本発明は、瓦の固定装置、瓦の取り付け方法及び屋根を提供し、太陽光発電の技術分野に関するものであり、瓦桟についての瓦フックの圧力を減らすことで、瓦桟の使用年数を増やす。【解決手段】瓦の固定装置は、瓦に設けられる取付穴に合わせて使用されるように配置される固定部材と、瓦桟を制限するために配置される位置決め構造とが設けられている瓦フックを備える。瓦の取り付け方法は、上述の瓦の固定装置を使用して瓦を設置する。本発明で提供される瓦の固定装置、瓦の取り付け方法及び屋根は太陽光発電に応用される。【選択図】図１
2019183615.tif 000002
【特許請求の範囲】
【請求項１】
瓦に設けられる取付穴に合わせて配置される固定部材と、瓦桟を制限するために配置される位置決め構造とが設けられている瓦フックを備えることを特徴とする瓦の固定装置。
【請求項２】
前記位置決め構造では、瓦桟の位置を制限する位置制限面が弧形位置制限面であることを特徴とする請求項１に記載の瓦の固定装置。
【請求項３】
前記固定部材及び前記瓦桟は、前記位置決め構造の両側に位置し、前記弧形位置制限面は前記瓦桟に外接することを特徴とする請求項２に記載の瓦の固定装置。
【請求項４】
前記位置決め構造は、前記瓦フックの一端に接続される第１のリニア位置決め区間と、第２のリニア位置決め区間と、前記第１のリニア位置決め区間と前記第２のリニア位置決め区間とを接続する弧形位置決め区間とを備えることを特徴とする請求項１〜３のいずれか一項に記載の瓦の固定装置。
【請求項５】
前記第１のリニア位置決め区間の線方向と前記第２のリニア位置決め区間の線方向とがなす夾角は鋭角であり、前記弧形位置決め区間は、前記第１のリニア位置決め区間の線方向と前記第２の線形位置決定区間の線方向とがなす夾角の範囲内にあることを特徴とする請求項４に記載の瓦の固定装置。
【請求項６】
前記第１のリニア位置決め区間の線方向に位置する直線と、前記第２のリニア位置決め区間の線方向に位置する直線とは、それぞれ前記弧形位置決め区間の円弧面に外接されることを特徴とする請求項４に記載の瓦の固定装置。
【請求項７】
前記瓦フックは、前記固定部材が配置されかつ前記第１のリニア位置決め区間に接続される瓦固定区間と、瓦桟の位置を制限するための位置決め穴が設けられる瓦桟位置決め区間と、前記瓦桟位置決め区間を介して前記瓦固定区間に接続されかつ瓦桟に重ね接続するように配置される瓦桟重ね接続区間とを備えることを特徴とする請求項４に記載の瓦の固定装置。
【請求項８】
前記位置決め穴は、前記瓦桟位置決め区間の中心に位置することを特徴とする請求項７に記載の瓦の固定装置。
【請求項９】
前記瓦固定区間は線形構造であり、前記第１のリニア位置決め区間の線方向は、前記瓦固定区間の線方向に垂直することを特徴とする請求項７に記載の瓦の固定装置。
【請求項１０】
前記固定部材は、リベットナット、係接部材またはヒンジ部材であることを特徴とする請求項１〜３のいずれか一項に記載の瓦の固定装置。
【請求項１１】
請求項１〜１０のいずれか一項に記載の記載の瓦の固定装置を応用し、
取付穴が設けられる瓦を提供するステップと、
第１の接続部材を取付穴に貫通し、前記瓦の固定装置に備えられる固定部材に第１の接続部材を固定させて、前記瓦の固定装置に備えられる瓦フックが前記瓦に固定されるようにするステップと、
前記瓦の固定装置に備えられる瓦フックを瓦桟に重ね接続して、前記瓦の固定装置に備えられる位置決め構造において瓦桟の位置を制限する位置制限面が瓦桟に接触するようにするステップと、を含むことを特徴とする瓦の取り付け方法。
【請求項１２】
前記瓦フックは、瓦固定区間、瓦桟位置決め区間、及び瓦桟に重ね接続する瓦桟重ね接続区間を備え、前記瓦の固定装置に備えられる瓦フックを瓦に重ね接続した後、
第２の接続部材を前記瓦桟位置決め区間の位置決め穴に貫通して、前記瓦桟位置決め区間が前記瓦桟に付着されるようにするステップをさらに含むことを特徴とする請求項１１に記載の瓦の取り付け方法。
【請求項１３】
前記第１の接続部材と、前記瓦桟との間に隙間があることを特徴とする請求項１１に記載の瓦の取り付け方法。
【請求項１４】
瓦と、請求項１〜１０の少なくとも一項に記載の前記瓦の固定装置とを備え、
前記瓦の取付穴内には、前記瓦の固定装置に備えられる固定部に合う第１の接続部材が配置され、前記瓦の固定装置に備えられる瓦フックは瓦桟に重ね接続され、
前記瓦の固定装置に備えられる位置決め構造では、瓦桟の位置を制限する位置制限面が瓦桟に接触されることを特徴とする屋根。
【請求項１５】
前記瓦フックは、瓦固定区間、瓦桟に重ね接続するように配置される瓦桟位置決め区間及び瓦桟重ね接続区間を備え、第２の接続部材が瓦桟位置決め区間の位置決め穴を貫通して、前記瓦桟位置決め区間を前記瓦桟に位置決めさせることを特徴とする請求項１４に記載の屋根。
【請求項１６】
前記第１の接続部材と、前記瓦桟との間に隙間があることを特徴とする請求項１４に記載の屋根。
【発明の詳細な説明】
【技術分野】
【０００１】
本発明は、建築用瓦の技術分野に関し、特に、瓦の固定装置、瓦の取り付け方法と屋根に関する。
【背景技術】
【０００２】
従来の技術において、人々は太陽エネルギー発電技術と伝統的な建築物を結合することで、太陽光発電瓦を研究製作した。この太陽光発電瓦は、通常の瓦として住宅建設に使用されるだけでなく、太陽エネルギー変換装置として、太陽光発電に使用されることもできる。
【発明の概要】
【発明が解決しようとする課題】
【０００３】
太陽光発電瓦の重ね方式は、伝統的な焼結瓦、セメント瓦などのような瓦の重ね方式に従うが、まだ多くの欠陥が存在する。
【０００４】
従来技術の瓦フックと瓦桟との接触面積が比較的に小さくて、太陽光発電瓦の重圧で、瓦桟に対する瓦フックの圧力が比較的に大きくて、強度が比較的に低い瓦桟の構造が破損され易く、瓦桟の使用年数が大幅に減る。
【０００５】
本発明は、瓦の固定装置、瓦の取り付け方法及び屋根を提供して、瓦桟についての瓦フックの圧力を減らすことで、瓦桟の使用年数を増やすことを目的とする。
【課題を解決するための手段】
【０００６】
本発明は、以下のような技術方案を提供する。
【０００７】
瓦の固定装置において、当該瓦の固定装置は、瓦に設けられる取付穴に合わせて使用されるように配置される固定部材と、瓦桟を制限するために配置される位置決め構造とが設けられている瓦フックを備える。
【０００８】
本発明は、上述の技術方案に記載される瓦の固定装置を応用する瓦の取り付け方法を提供し、前記瓦の取り付け方法は、
取付穴が設けられる瓦を提供するステップと、
第１の接続部材を取付穴に貫通し、前記瓦の固定装置に備えられる固定部材に第１の接続部材を固定させて、前記瓦の固定装置に備えられる瓦フックが前記瓦に固定されるようにするステップと、
前記瓦の固定装置に備えられる瓦フックを瓦桟に重ね接続して、前記瓦の固定装置に備えられる位置決め構造において瓦桟の位置を制限する位置制限面が瓦桟に接触するようにするステップと、を含む。
【０００９】
本発明は、瓦と、上述の技術方案に記載される前記瓦の固定装置とを備える屋根を提供し、前記瓦の取付穴内には、前記瓦の固定装置に備えられる固定部に合う第１の接続部材が配置され、前記瓦の固定装置に備えられる瓦フックは瓦桟に重ね接続され、前記瓦の固定装置に備えられる位置決め構造において瓦桟の位置を制限する位置制限面は瓦桟に接触される。
【００１０】
以下に説明する図面は、本発明をより理解するために提供されるものであり、本発明の一部であり、本発明の例示的な実施例及びその説明は、本発明を解釈するためのものであり、本発明を不適切に限定することでない。
【図面の簡単な説明】
【００１１】
【図１】図１は、本発明の実施例で提供される瓦の固定装置の構造概略図である。
【図２】図２は、本発明の実施例の中の瓦桟位置決め区間の概略図である。
【図３】図３は、本発明の実施例で提供される屋根の一部分の概略図である。
【図４】図４は、本発明の実施例で提供される瓦の取り付け方法のフローチャートである。
【発明を実施するための形態】
【００１２】
以下、本発明の実施例の図面に結合して、本発明の実施例における技術方案を明確かつ完全に説明し、説明した実施例は、本発明の一部の実施形態に過ぎず、全部の実施例でないことは自明なものである。本発明の実施例に基づいて、本技術分野の通常の技術者が創造的な労働をかけていない前提で得られるすべての他の実施例は、いずれも本発明の請求の範囲に属する。
【００１３】
本発明の説明において、留意すべきことは、「中心」、「上」、「下」、「左」、「右」、「垂直」、「水平」、「内」、「外」などの用語が意味する方位や位置関係は、図面に基づく方位や位置関係であり、本発明を説明しかつ簡単に説明するためのことに過ぎず、デバイスや素子が必ずしも特定の方位に位置したり、特定の方位で構成されたり操作されたりすることを、意味または暗示することではなく、本発明を限定するものに理解してはいけない。尚、「第１の」、「第２の」、「第３の」との用語は、説明するために使用するものであり、相対的な重要性を意味するか、または暗示するものと理解してはいけない。
【００１４】
本発明の説明において、留意すべきことは、明確な規定と限定がない限り、「取り付ける」、「結合される」及び「接続される」との用語は、広い意味に理解すべき、例えば、固定して接続されてもよく、着脱可能に接続されてもよく、または一体に接続されてもよく、機械的に接続されてもよく、電気的に接続されてもよく、直接的に接続されてもよく、中間媒介体を経て間接的に接続されてもよく、二つの素子の内部の連通であってもよい。当業者にとって、本発明においての上述した用語の具体的な意味は具体的な状況に応じて理解する。
【００１５】
図１及び図３を参照すると、本発明の実施例で提供される瓦の固定装置は、瓦フック１を備え、瓦フック１には、瓦４に設けられる取付穴に結合して使用されるように配置される固定部材１０１が設けられており、瓦フック１には、瓦桟３を制限するように配置される位置決め構造２がさらに設けられている。本発明の実施例で提供される瓦の固定装置は、色々な瓦、例えば、あちこちに見える焼結瓦、セメント瓦や太陽光発電瓦などのような機能性瓦を固定することができる。以下、図１、図３及び図４を結合して、本発明の実施例で提供される瓦の固定装置を介して瓦４を取り付けるステップについて詳細に説明する。
【００１６】
第１のステップにおいて、瓦４を提供し、本実施例において、太陽光発電瓦４を例として挙げ、該瓦に取付穴が設けられている。
【００１７】
第２のステップにおいて、第１の接続部材を取付穴に貫通して、瓦の固定装置に備えられる固定部材１０１を介して第１の接続部材を固定させて、瓦の固定装置に備えられる瓦フック１が太陽光発電瓦４に固定されるようにする。一般的に、瓦フック１には、取付穴に合う貫通穴が設けられており、第１の接続部材が取付穴と貫通穴とを貫通して、瓦フック１と太陽光発電瓦との接続を実現することができる。従って、本発明の実施例において、第１の接続部材が取付穴と貫通穴とを貫通した後、固定部材１０１を介して第１の接続部材を固定させて、瓦フック１と太陽光発電瓦の接続を実現する。
【００１８】
第３のステップにおいて、瓦の固定装置に備えられる瓦フック１を瓦桟３に重ね接続して、瓦の固定装置に備えられて瓦桟３の位置を制限する位置決め構造２の位置制限面が瓦桟３に接触するようにして、瓦桟３についての位置制限を実現する。
【００１９】
本発明の実施例で提供される瓦の固定装置の具体的な構造と瓦を取り付ける過程から分かるように、瓦フック１には、瓦桟３を制限するために配置される位置決め構造２がさらに設けられて、瓦フック１が瓦４に固定された後、位置決め構造２の位置制限面を介して、瓦フック１が重ね接続された瓦桟３の位置を制限して、位置決め構造２が瓦桟３に対して一定の支持力を持つようにすることで、瓦桟３に対する瓦フック１の圧力を緩衝し、ひいては瓦桟３の使用寿命を増やす。
【００２０】
選択可能に、図１に示すように、本発明の実施例において、瓦桟３の位置を制限する位置決め構造２の位置制限面は、弧形位置制限面であり、これにより、位置決め構造２の位置制限面が瓦桟３について位置制限するとき、弧形位置制限面は、位置決め構造２による瓦桟３の摩耗を減らすことができる。同時に、位置決め構造２の弧形位置制限面と瓦桟３との間に相対的変位が発生する場合に、位置決め構造２の弧形位置制限面は、瓦桟３に対する抵抗力を減らすことができる。従って、瓦４の取り付け、取り外しまたは揺れの過程で、瓦４により、瓦フック１に設けられる位置決め構造２と瓦桟３との間に相対的変位が発生し、位置決め構造２の弧形位置制限面は、相対的変位の過程で位置決め構造２の位置制限面による瓦桟３の摩耗を減らすことができる。同時に、瓦４の取り付け及び取り外しの過程で、位置決め構造２の位置制限面による瓦桟３の不必要な摩耗を低減することもでき、太陽光発電瓦のような瓦４の取り付け及び取り外しを便利する。
【００２１】
具体的には、図１及び図３に示すように、本発明の実施例において、固定部材１０１及び瓦桟３は、位置決め構造２の両側に位置し、弧形位置制限面は瓦桟３に外接して、瓦４の取り付けの時に、瓦桟３が位置決め構造２の弧形位置制限面に外接されるようにする。同時に、固定部材１０１及び瓦桟３が位置決め構造２の両側に位置し、弧形位置制限面が瓦桟３に外接するので、瓦４が設置された状態で、瓦桟３と、第１の接続部材を固定するための固定部材１０１とは、弧形位置制限面を境界線とし、互いに反対となる両方向に位置することができる。このとき、瓦桟３は、第１の接続部材を固定するための固定部材１０１から離れて、できるだけ瓦桟３が第１の接続部材及び固定部材１０１に接触されることを回避することで、第１の接続部材と固定部材１０１による瓦桟３の摩耗を減らす。
【００２２】
留意すべきことは、本発明の実施例において、固定部材１０１の種類は比較的に多く、ねじ山を有するねじ部材、例えばリベットナットであってもよく、係接部材またはヒンジ部材であってもよく、もちろん、他の形式の固定部材１０１であってもよい。
【００２３】
選択可能に、固定部材１０１と瓦に設けられる取付穴とは、着脱可能に接続される。
【００２４】
取付穴の断面形状は、色々であってもよく、例えば、四角形、円形、楕円形などであってもよく、好ましくは、円形である。
【００２５】
固定部材１０１は、第１の接続部材に螺接方式で接続される場合には、リベットナットなどのねじ部材であり、瓦を取り付ける過程に使用される第１の接続部材はボルトである。
【００２６】
固定部材１０１が、第１の接続部材に係接方式で接続される場合に、固定部材１０１や瓦の取り付けの過程で使用される第１の接続部材は、クリップ構造であり、もちろん、他の係接構造であってもよい。クリップ構造を例とする場合、固定部材１０１は、一般的にリング構造である締結部材であり、第１の接続部材は、一般的に柱状構造である位置決め部材である。
【００２７】
固定部材１０１は、第１の接続部材にヒンジ方式で接続される場合に、一般的に蝶番などのヒンジ部材であり、第１の接続部材は、柱状構造であり、かつ取付穴を貫通して、クレビスピンを介して固定部材１０１に接続される。
【００２８】
実現可能な実施例として、図１及び図３に示すように、本発明の実施例において、位置決め構造２は、瓦フック１の一端に接続される第１のリニア位置決め区間２１、第２のリニア位置決め区間２２、及び、第１のリニア位置決め区間２１と第２のリニア位置決め区間２２とを接続する弧形位置決め区間２０を備える。第１のリニア位置決め区間２１、第２のリニア位置決め区間２２及び弧形位置決め区間２０がなす具体的な形状は、実際の必要に応じて定めることができ、瓦４を取り付けた後、位置決め構造２が瓦桟３に対して充分な位置制限の作用を果すことを確保しなければならない。
【００２９】
図１及び図３に示すように、本発明の実施例において、位置決め構造２の位置制限面と瓦桟３との間に相対的変位が発生する際の、位置決め構造２の位置制限面と瓦桟３との間の相対的変位の抵抗力が小さくなるように確保するために、第１のリニア位置決め区間２１の線方向に位置する直線、第２のリニア位置決め区間２２の線方向に位置する直線は、それぞれ前記弧形位置決め区間２０の円弧面に外接される。この場合、第１のリニア位置決め区間２１、第２のリニア位置決め区間２２及び弧形位置決め区間２０がなす位置制限面は比較的滑らかで、瓦４の取り付け、取り外しまたは揺れ発生時に、位置決め構造２の位置制限面と瓦桟３との間の相対的変位の抵抗力がより減らし、位置決め構造２による瓦桟３の摩耗をより減らす。
【００３０】
さらに、図１及び図３に示すように、本発明の実施例において、瓦桟３が固定部材１０１及び第１の接続部材と互いに独立した位置にあるように（すなわち、瓦桟３は、固定部材１０１、第１の接続部材とそれぞれ隙間を確保するために）、第１のリニア位置決め区間２１の線方向と第２のリニア位置決め区間２２の線方向がなす夾角αは鋭角であり、弧形位置決め区間２０は、第１のリニア位置決め区間２１の線方向と前記第２のリニア位置決め区間２２の線方向がなす夾角の範囲内に位置し、その夾角の大きさは、実際の状況に応じて設定することができ、例えば、３０°〜７０°であってもよく、もちろん、他の角度であってもよい。
【００３１】
第１のリニア位置決め区間２１の線方向と第２のリニア位置決め区間２２の線方向がなす夾角αが鋭角である場合に、弧形位置決め区間２０は、最大限に固定部材１０１から離れる方向に突出し、瓦４の取り付け状態で、瓦桟３が、固定部材１０１及び第１の接続部材と充分な距離を持つことができる。これは、瓦桟３が固定部材１０１、第１の接続部材によって摩耗されることを避け、他の観点から見ると、固定部材１０１に第１の接続部材を固定するための、より広い固定スペースを提供することができ、瓦フック１と瓦４との間の接続がより強固に確保する。
【００３２】
従来の技術において、瓦に設けられる取付穴及び瓦フックに設けられる貫通孔は、その直径が第１の接続部材の直径より大きく、また、同一の太陽光発電瓦の固定が必要な場合、同一の瓦桟に少なくとも二つの瓦フックが接続されるので、同一の太陽光発電の瓦に二つの瓦フックが接続される場合、第１の接続部材と、瓦に設けられる取付穴及び瓦フックに設けられる貫通孔との間に隙間があるので、二つの瓦フックの幾何的中心をつなぐ接続線が傾斜され、太陽光発電瓦の取り付けの完了後、太陽光発電瓦の双側の高低が不均一になる現象が発生することがある。同時に、従来の太陽光発電瓦の取り付けの過程で、いろんな取り付け誤差が存在して、同一列の発電用瓦が傾斜することもあり、ひどい場合に、全体的な施工品質に影響をもたらすことがある。これに鑑みて、図１、図２及び図３に示すように、本発明の実施例において、瓦フック１は、瓦固定区間１１、瓦桟位置決め区間１２及び瓦桟３に重ね接続するように配置される瓦桟重ね接続区間１３を備え、固定部材１０１は、瓦固定区間１１に配置され、瓦固定区間１１は、瓦桟位置決め区間１２を介して瓦桟重ね接続区間１３に接続され、瓦桟位置決め区間１２には、瓦桟３の位置決めを行ために配置される位置決め穴１０２が設けられ、第１のリニア位置決め区間２１は、瓦固定区間１１に接続される。瓦固定区間１１は、瓦４に固定されるように配置され、その上に、取付穴に合う貫通穴が設けられていることが理解できる。
【００３３】
瓦４の取り付け時に、最後のステップで、締結ボルトなどの第２の接続部材を利用して、瓦桟位置決め区間１２を瓦桟３に締結して、瓦桟位置決め区間が瓦桟３に密着するようにすることで、瓦桟３について正確な位置決めを行い、瓦４の取り付け過程中または伝統的な瓦の重ね方式において瓦４の双側の高低が不均一の不備を補完する。
【００３４】
位置決め穴１０２の断面形状は、色々であってもよく、例えば、四角形、円形、楕円形などであってもよく、好ましくは、円形である。
【００３５】
位置決め穴１０２の数量は一つ、二つ、三つなどであってもよく、好ましくは、一つである。
【００３６】
好ましくは、位置決め穴１０２は、瓦桟位置決め区間１２の中心に位置する。位置決め穴１０２を、瓦桟位置決め区間１２の中心に位置させることによって、瓦桟３の正確な位置決めを確保し、瓦桟３が力をより均一に受けることができ、瓦４の取り付け過程中または伝統的な瓦の重ね方式において瓦４の双側の高低が不均一の問題をよりよく避けることができる。
【００３７】
選択可能に、図１に示すように、本発明の実施例において、瓦固定区間１１は線形構造であり、第１のリニア位置決め区間２１の線方向は瓦固定区間１１の線方向に垂直し、この場合、第１のリニア位置決め区間２１に接続される弧形位置決め区間２０は、瓦固定区間１１と最も遠い距離を維持できるので、できるだけ瓦桟３が、位置決め部材及び第１の接続部材に接触されることを避けることができる。
【００３８】
選択可能に、図１及び図３に示すように、瓦桟３は、屋根に沿って延長される棒状構造として、好ましくは、その断面形状が四角形である。瓦桟３の弧形位置制限面に接触される一面の全幅を、瓦固定区間１１の長さに比べて、瓦固定区間１１の長さが該接触面の全幅より小さい。第１のリニア位置決め区間２１の線方向は、瓦固定区間１１の線方向に垂直するため、瓦固定区間１１の長さが、瓦桟３の弧形位置制限面に接触される面の全幅より小さい場合、弧形位置決め区間２０は、ちょうど瓦桟３の接触面の内部に位置する。従って、弧形位置決め区間２０が瓦桟３に完全に接触することを最大限に確保することができ、位置決め構造２の弧形位置制限面と瓦桟３との間に相対的変位が発生する場合でも、弧形位置決め区間２０が、瓦桟３の該接触面に接触されることを依然に確保することができ、瓦桟３に対する瓦フック１の圧力をより緩衝し、ひいては瓦桟３の使用寿命を増やす。
【００３９】
好ましくは、瓦固定区間１１の長さは、瓦桟３と弧形位置制限面が接触する面の全幅の半分より大きく且つ瓦桟３の弧形位置制限面に接触される面の全幅より小さい。
【００４０】
留意すべきことは、本発明の実施例において、瓦固定区間１１、瓦桟位置決め区間１２及び瓦桟重ね接続区間１３がなす形状は、瓦固定区間１１、瓦桟位置決め区間１２及び瓦桟重ね接続区間１３の実際の方向によって定められ、一般的に瓦フックは、Ｃ型フックまたはＵ型フックである。尚、本発明の実施例において、「線形」は、直線に理想化可能のことを意味し、例えば、正方形棒状構造の第１のリニア位置決め区間、第２のリニア位置決め区間及び瓦固定区間は直線に理想化可能で、ただし第１のリニア位置決め区間及び第２のリニア位置決め区間をそれぞれ理想化した直線がなす夾角は鋭角であり、第１のリニア位置決め区間及び前記瓦固定区間の理想化した直線は、互いに垂直になる。
【００４１】
図１〜図４に示すように、本発明の実施例は、上述の実施例で提供される固定装置を応用する瓦の取り付け方法を提供し、当該方法は、ステップＳ１００乃至ステップＳ３００含む。
【００４２】
ステップＳ１００において、瓦４を提供し、一つの実施例において、瓦４は取付穴が設けられる太陽光発瓦であってもよい。
【００４３】
ステップＳ２００において、第１の接続部材を取付穴に貫通して、瓦の固定装置に備えられる固定部材１０１を利用して、第１の接続部材を固定させて、瓦の固定装置に備えられる瓦フック１が瓦４に固定されるようにする。
【００４４】
ステップＳ３００において、瓦の固定装置に備えられる瓦フック１を瓦桟３に重ね接続して、瓦の固定装置に備えられる位置決め構造２において瓦桟３の位置を制限する位置制限面が瓦桟３に接触するようにする。
【００４５】
従来の技術に比べ、本発明の実施例で提供される瓦の取り付け方法の有益な効果は、上述の実施例で提供される瓦の固定装置の有益な効果と同じで、ここで重複し説明しない。
【００４６】
選択可能に、本発明の実施例において、太陽光発電瓦の設置完了後の第１の接続部材と瓦桟３との間に隙間があるので、瓦桟３が第１の接続部材によって傷つけることを避けることができる。
【００４７】
具体的には、図１及び図４に示すように、瓦フック１は、瓦固定区間１１、瓦桟位置決め区間１２、及び瓦桟３に重ね接続するように配置される瓦桟重ね接続区間１３を備え、瓦の固定装置に備えられる瓦フック１を瓦に重ね接続した後、本発明の実施例で提供される瓦の取り付け方法は、
第２の接続部材を位置決め穴１０２に貫通して、瓦桟位置決め区間１２が瓦桟３に密着するようにするステップＳ４００をさらに含む。
【００４８】
一方で、本発明の実施例では、瓦と、少なくとも一つの上述の実施例で提供される瓦の固定装置を備える屋根を提供し、瓦の取付穴には、瓦の固定装置に備えられる固定部材１０１に合う第１の接続部材が配置され、瓦の固定装置に備えられる瓦フック１は、瓦桟３に重ね接続され、瓦桟３の位置を制限する、瓦の固定装置に備えられる位置決め構造２の位置制限面は、瓦桟３に接触される。
【００４９】
従来の技術に比べ、本発明の実施例で提供される屋根の有益な効果は、上述した実施例で提供される瓦の固定装置の有益な効果と同じで、ここで重複し説明しない。
【００５０】
具体的には、図１〜図３に示すように、瓦フック１は、瓦固定区間１１、瓦桟３に重ね接続する瓦桟位置決め区間１２及び瓦桟重ね接続区間１３を備え、第２の接続部材は位置決め穴１０２を貫通して前記瓦桟位置決め区間１２を瓦桟に位置決めさせ、第１の接続部材と瓦桟３との間に隙間があって、瓦桟３が第１の接続部材により傷つけることを避けることができる。
【００５１】
上述の実施例の説明において、具体的な特徴、構造、材料、または特点は、任意の一つまたは複数の実施例や例示で適切な方法で結合することができる。
【００５２】
上述の内容は、本発明の具体的な実施形態に過ぎず、本発明の保護範囲は、これに限定されず、当業者が、本発明により提示される技術の範囲内で容易に思い出される変更または交替は、いずれも本発明の保護範囲内に入る。従って、本発明の保護範囲は、特許請求の範囲に準じる。
【産業上の利用可能性】
【００５３】
本発明の実施例で提供される瓦の固定装置は、位置決め構造の位置制限面を利用して、瓦フックが重ね接続される瓦桟に対して位置制限を行い、位置決め構造が瓦桟に対して一定の支持力を持つようにして、瓦桟についての瓦フックの圧力を緩衝し、ひいては瓦桟の使用寿命を増やす。
【符号の説明】
【００５４】
１  瓦フック                   
１１  瓦固定区間
１２  瓦桟位置決め区間         
１３  瓦桟重ね接続区間
１０１  固定部材               
１０２  位置決め穴
２  位置決め構造               
２０  弧形位置決め区間
２１  第１の線形位置決め区間       
２２  第２の線形位置決め区間
３  瓦桟                           
４  瓦
【図１】
2019183615.tif 000003
【図２】
2019183615.tif 000004
【図３】
2019183615.tif 000005
【図４】
2019183615.tif 000006